(57)【要約】【課題】フリクションパッドの分離に伴うスティックスリップによる異音を解消し、シート紙１５の搬送経路上に備えられた各ローラ間１１、１２、１６の速度差を解消することで、給紙手段特有の不具合を防止することが可能な画像形成装置を提供することを課題とする。【解決手段】複数の給紙手段を持つ画像形成装置において、ロール紙６，７の給紙装置とシート紙１５の給紙装置で共通の搬送経路を備え、共通の搬送経路にさしかかる手前またはその近傍で、用紙の迂回可能な搬送路２５を構成し、それぞれの搬送速度を最適条件となるように変化させて制御することを特徴とする画像形成装置を提供する。【選択図】  図１
2004231376.tif 000002
【特許請求の範囲】
【請求項１】
複数の給紙手段を持つ画像形成装置において、
前記画像形成装置は、ロール紙の給紙装置とシート紙の給紙装置とで共通の搬送経路を備え、共通の搬送経路にさしかかる手前またはその近傍で、用紙の迂回可能な搬送路を構成し、それぞれの用紙の搬送速度を最適条件となるように変化させて制御することを特徴とする画像形成装置。
【請求項２】
請求項１の画像形成装置において、
前記画像形成装置は、ロール紙の給紙装置よりシート紙の給紙装置の搬送速度を大きくすることを特徴とする画像形成装置。
【請求項３】
請求項２の画像形成装置において、
前記画像形成装置は、シート紙の給紙時に、シート紙の搬送経路上の備えられた各ローラ間の搬送速度の差によって用紙が弛みを持つことを特徴とする画像形成装置。
【請求項４】
請求項３の画像形成装置において、
前記画像形成装置は、シート紙給紙装置の搬送路が屈曲しており、用紙の弛みに応じて回動可能なガイド部材を備えたことを特徴とする画像形成装置。
【発明の詳細な説明】
【０００１】
【発明の属する技術分野】
本発明は、複数の給紙手段を用いた複写機、ファクシミリ、プリンター等
に関するものである。
【０００２】
【従来の技術】
一般的に、画像形成装置は、画像転写部や駆動部、定着部等の性能によって複写速度が決まり、低価格機になるほど複写速度は遅くなる。
画像形成装置における給紙装置の搬送速度は、画像転写部等の複写速度とほぼ同速度であり、給紙トレイを複数段備える給紙装置においても、それぞれの搬送速度は、画像転写部等の複写速度とほぼ同速度になる。
【０００３】
給紙装置には、ロール紙を搬送するロール紙給紙装置とシート紙を搬送するシート紙給紙装置とがある。
ロール紙給紙装置では、搬送速度の低下による給紙機能への影響はそれほど考慮しなくてよいが、シート紙給紙装置では、その分離方式により、特許文献１に記載されているように、搬送速度の低下による不具合が出てくる場合がある。
低価格機のシート紙給紙装置で一般的に使用されているシート分離方式は、フリクションパッド分離またはコーナーセパレーター分離である。コーナーセパレータ分離は、分離性の悪さ、紙への傷等の不具合があるため、フリクションパッド分離が多く利用されている。
しかしながら、フリクションパッド分離特有の不具合として、搬送速度が低い場合は、摩擦振動、いわゆるスティックスリップによる異音を発生する。
【特許文献１】
実公平７−２４３５９
【０００４】
【発明が解決しようとする課題】
上記問題点に鑑みて、本発明は、シート紙の給紙時において発生するフリクションパッドの分離に伴うスティックスリップによる異音を解消し、シート紙の搬送経路上に備えられた各ローラ間の搬送速度の差を解消することで、給紙手段特有の不具合を防止することが可能な画像形成装置を提供することを課題とする。
【０００５】
【課題を解決するための手段】
上記課題を解決するために、請求項１に記載の本発明は、複数の給紙手段を持つ画像形成装置において、前記画像形成装置は、ロール紙の給紙装置とシート紙の給紙装置で共通の搬送経路を備え、共通の搬送経路にさしかかる手前またはその近傍で、用紙の迂回可能な搬送路を構成し、それぞれの搬送速度を最適条件となるように変化させて制御することを特徴とする画像形成装置である。
請求項２に記載の本発明は、請求項１の画像形成装置において、前記画像形成装置は、ロール紙の給紙装置よりシート紙の給紙装置の搬送速度を大きくすることを特徴とする画像形成装置である。
【０００６】
請求項３に記載の本発明は、請求項２の画像形成装置において、前記画像形成装置は、シート紙の給紙時に、シート紙の搬送経路上に備えられた各ローラ間の速度差によって用紙が弛みを持つことを特徴とする画像形成装置である。
請求項４に記載の本発明は、請求項３の画像形成装置において、
前記画像形成装置は、シート紙の給紙装置の搬送路が屈曲しており、用紙の弛みに応じて回動可能なガイド部材を備えたことを特徴とする画像形成装置である。
【０００７】
【発明の実施の形態】
以下より、本発明の実施の形態について図面を参照にして詳細に説明する。
図１に示すように、画像形成装置全体構成として、ロール紙給紙トレイ１、その下方にシート紙給紙トレイ２、ロール紙給紙トレイ１の上方に画像形成装置本体３、最上部に原稿読み取り部４、最下部に用紙ストッカ５がある。ロール紙給紙トレイ１にはロール紙６、７が積置され給紙ローラ８、９でそれぞれ搬送される。
搬送されたロール紙はカッター１０でカットされ中継ローラ１１、レジストローラ１２、感光体ドラム１３、定着ローラ１４を通過し、画像がのった状態で用紙ストッカ５に排出される。
【０００８】
また、シート紙給紙トレイ２にセットされたシート紙１５は給紙ローラ１６で搬送され、搬送路２５、搬送路２６を通過し、カット動作は行わず作像、排出される。
図２は給紙部の構成の正面図である。
ロール紙給紙トレイ１の構成としては、ロール紙６の最大幅の外側に側板１７、１８があり、その下側にスライド機構１９、２０を備える。スライド機構１９、２０はスタンド台２１に固定され、側板１７、１８とスタンド台２１の隙間２２はトレイ引き出し時の余裕分である。ロール紙給紙トレイ１の側板１７、１８は複数のガイド板やステー類で連結されている。
スライド機構１９、２０の内側はシート紙給紙トレイ２がスタンド台ステー２３上にブラケットで固定されている。シート紙給紙トレイ２はカセット状になっており、引き出し自在である。
【０００９】
ロール紙給紙トレイ１は、“門”の字形をしており、その空きスペースにシート紙給紙トレイ２が入り、それぞれの給紙トレイが独立しているので任意に引き出して操作が可能である。
搬送路２５、２６はロール紙給紙トレイ１の中にあり、搬送路２６及び中継ローラ１１は、ロール紙６、７の給紙時及びシート紙１５の給紙時において共通の搬送経路となる。
【００１０】
次に、ロール紙６、７及びシート紙１５の搬送時における各ローラ８、９、１１、１２、１６の搬送速度について説明する。
感光体ドラム１３の搬送速度は６０ｍｍ／ｓｅｃであり、給紙ローラ８、９及びレジストローラ１２の搬送速度も同様に６０ｍｍ／ｓｅｃである。中継ローラ１１の搬送速度は６２ｍｍ／ｓｅｃであり、シート紙１５の搬送時における給紙ローラ１６の搬送速度は１２０ｍｍ／ｓｅｃである。シート紙１５の搬送時における給紙ローラ１６の搬送速度は、１００ｍｍ／ｓｅｃ以下ではスティックスリップが起こりやすい為に、１００ｍｍ／ｓｅｃを超えた搬送速度とすることで異音を防止する。中継ローラ１１の搬送速度がロールの給紙ローラ８、９の搬送速度より若干速いのは、カッターを動作させる時に、上流側の給紙ローラ８と９との間で紙を弛ませないためである。
【００１１】
搬送路２５及び２６はシート紙の搬送経路であり、搬送路２６はロール紙の搬送経路と共通である。搬送路２５は図３に示すように、Ｓ字形状に屈曲しており、その途中にシート紙１５のコシで回動可能すなわち開閉自在のガイド部材であるガイド板２９を有する。シート紙１５の搬送時における給紙ローラ１６の搬送速度は１２０ｍｍ／ｓｅｃであり、その下流になる中継ローラ１１の搬送速度は６２ｍｍ／ｓｅｃであるから、シート紙１５の先端が中継ローラ１１に到達していながら、該シート紙１５の後端が給紙ローラ１６を通過していない場合は、給紙ローラ１６と中継ローラ１１との搬送速度の差により該シート紙１５に弛みが発生する。この時、該シート紙が搬送路２５で座屈しないように設けられたのが、ガイド板２７であり、弛みができると、該シート紙１５のコシでガイド板２７は２８の位置に移動する。該シート紙１５のコシに押されていないときは、スプリング等により２９の位置にある。このようにして、搬送路２５が屈曲していることにより、弛みをスムーズに形成できる。
【００１２】
【発明の効果】
以上説明したように、本発明により、ロール紙およびシート紙の共通の搬送経路を備え、該搬送経路にさしかかる手前またはその近傍で用紙の迂回可能な搬送路を構成し、給紙手段に最適条件となる搬送速度の制御を行うことにより、給紙手段特有の不具合を防止することが可能な画像形成装置を提供することができる。
また、本発明により、シート紙の搬送速度を上げることにより、フリクションパッドの分離に伴うスティックスリップによる異音の発生を抑制することが可能な画像形成装置を提供することができる。
【００１３】
また、本発明により、ローラ間の速度差を用紙の弛みによって解消することが可能な画像形成装置を提供することができる。
また、本発明により、搬送経路が屈曲していることにより、スムーズに弛みを形成し、弛みを形成する前には、可動可能なガイド部材により、用紙先端部のガイドにもなることが可能な画像形成装置を提供することができる。
【図面の簡単な説明】
【図１】画像形成装置全体の構成図である。
【図２】給紙部の構成の正面図である。
【図３】屈曲したシート紙の搬送経路を示す図である。
【符号の説明】
１  ロール紙給紙トレイ
２  シート紙給紙トレイ
３  画像形成装置本体
４  原稿読み取り部
５  用紙ストッカ
６  ロール紙
７  ロール紙
８  給紙ローラ
９  給紙ローラ
１０  給紙カッター
１１  中継ローラ
１２  レジストローラ
１３  感光体ドラム
１４  定着ローラ
１５  シート紙
１６  給紙ローラ
１７  側板
１８  側板
１９  スライド機構
２０  スライド機構
２１  スタンド台
２２  側板とスタンド台の隙間
２３  スタンド台ステー
２４  スタンド台下部
２５  搬送路
２６  搬送路
２７  ガイド板
２８  ガイド板がシート紙により押されたときのガイド板の位置
２９  ガイド板にシート紙が接触しないときのガイド板の位置
【図１】
2004231376.tif 000003
【図２】
2004231376.tif 000004
【図３】
2004231376.tif 000005